(57)【要約】【課題】大型化や重量化に伴う製造コストの増大を抑え、かつ外乱の影響によって浄化空間の空気が外部空間へ流出する事態を防止すること。【解決手段】本体筐体１００の天板１０３に上方に向けて開口した吸込口１０４を有し、該吸込口１０４を通じて本体筐体１００の内部に吸引した喫煙空間ＳＲの空気を浄化部１０２で浄化するようにした空気清浄機において、吸込口１０４の側方域上方及び左右に向けて障壁を設けるとともに、浄化後の空気を該障壁の延在方向に沿って略水平方向に吹き出す側方吹出口１１２を設けた。【選択図】      図１
2005199276.tif 000002
【特許請求の範囲】
【請求項１】
上方に向けて開口した吸込口を有し、該吸込口を通じて吸引した浄化空間の空気を浄化するようにした空気清浄機において、
前記吸込口の側方域上方及び左右に向けて障壁を設けるとともに、浄化後の空気を該障壁の延在方向に沿って略水平方向に吹き出す側方吹出口を設けたことを特徴とする空気清浄機。
【請求項２】
前記障壁の縁部にリブを有し、前記側方吹出口から吹き出された空気を本体筐体の吸込口に誘導することを特徴とする請求項１に記載の空気清浄機。
【請求項３】
前記側方吹出口から吹き出す空気の流速を前記吸込口から吸引される空気の流速より小さくしたことを特徴とする請求項１または２に記載の空気清浄機。
【発明の詳細な説明】
【技術分野】
【０００１】
本発明は、タバコの煙や塵埃等の異物を含んだ浄化空間の空気を浄化する空気清浄機に関するものである。
【背景技術】
【０００２】
この種の従来技術としては、例えば図５に示すものがある。この空気清浄機は、テーブル型を成す本体筐体１０の内部に送風機１１および浄化部１２を備えて構成したものである。本体筐体１０には、その上面に吸込口１３が設けてある一方、その下面に吹出口１４が設けてある。
【０００３】
この空気清浄機では、浄化空間、例えば喫煙空間ＳＲに設置した状態で送風機１１を駆動すれば、吸込口１３を通じて喫煙空間ＳＲの空気が本体筐体１０の内部に吸引され、該吸引された空気が浄化部１２を通過した後に吹出口１４を通じて本体筐体１０の外部に排出される。この間、空気清浄機の本体筐体１０に吸引された空気は、浄化部１２を通過する際にタバコの煙ＴＳが捕集され、浄化した状態で外部に排出されることになる。従って、時間が経過するに従ってタバコの煙ＴＳが順次除去されることとなり、喫煙空間ＳＲの空気を浄化することができるようになる。
【発明の開示】
【発明が解決しようとする課題】
【０００４】
ところで、上述した空気清浄機にあっては、本体筐体１０に吸引した空気を浄化するものであるため、これを単に喫煙空間ＳＲに設置しただけではタバコの煙ＴＳが外部空間である非喫煙空間ＮＳＲに流出する事態を防止することができない。このため、図５に示した空気清浄機を設置する場合には、図６に示すように、喫煙空間ＳＲと非喫煙空間ＮＳＲとの間の床面にパーティション１５を配置するのが一般的である。
【０００５】
上述したパーティション１５は、喫煙空間ＳＲから非喫煙空間ＮＳＲへタバコの煙ＴＳが直進することを防ぐことは可能である。しかしながら、喫煙空間ＳＲに気流等の外乱Ｄが発生した場合には、例えばパーティション１５を上方に迂回してタバコの煙ＴＳが非喫煙空間ＮＳＲに流出する虞れがある。
【０００６】
そこで、従来においては、気流を制御することによって喫煙空間ＳＲのタバコの煙ＴＳが非喫煙空間ＮＳＲに流出する事態を防止するようにした空気清浄機も提案されている。
【０００７】
例えば、図７に示す空気清浄機では、本体筐体２０の一側縁部に上方に向けて空気を吹き出す第１吹出口２１を設けるとともに、本体筐体２０の一側面に浄化した後の空気を非喫煙空間ＮＳＲに吹き出す第２吹出口２２を設けるようにしている。また、図８に示す空気清浄機では、本体筐体３０の上方部に吸込口３１に向けて空気を吹き出す送風機３２を設けるようにしている。
【０００８】
図７に示した空気清浄機によれば、第１吹出口２１から吹き出す空気によってエアカーテンが構成され、該エアカーテンによって喫煙空間ＳＲと非喫煙空間ＮＳＲとが仕切られることになるため、仮に喫煙空間ＳＲに外乱Ｄが発生した場合であっても、タバコの煙ＴＳが非喫煙空間ＮＳＲに流出する事態を防止することが可能となる。しかも、第２吹出口２２から非喫煙空間ＮＳＲに吹き出す空気により、当該非喫煙空間ＮＳＲを喫煙空間ＳＲに対して高圧状態とすることができるため、喫煙空間ＳＲから非喫煙空間ＮＳＲに至る気流の発生自体を防止することができる。
【０００９】
しかしながら、第２吹出口２２から吹き出した空気は、たとえ浄化後のものであっても少なからずタバコの煙ＴＳを含んでいる。従って、空気清浄機を通じてタバコの煙ＴＳが非喫煙空間ＮＳＲに漏出するという新たな問題を招来することになる。さらに、非喫煙空間ＮＳＲに向けて第２吹出口２２から空気を吹き出すため、該非喫煙空間ＮＳＲにいる人に対してドラフト感や騒音といった不快感を与える原因ともなる。
【００１０】
一方、図８に示した空気清浄機によれば、送風機３２から吹き出す下向きの空気によって喫煙空間ＳＲと非喫煙空間ＮＳＲとが仕切られることになるため、仮に喫煙空間ＳＲに外乱Ｄが発生した場合であっても、タバコの煙ＴＳが非喫煙空間ＮＳＲに流出する事態を防止することが可能となる。しかも、非喫煙空間ＮＳＲに対して空気を吹き出すものではないため、空気清浄機を通じてタバコの煙ＴＳが非喫煙空間ＮＳＲに漏出するという問題や非喫煙空間ＮＳＲにいる人に対してドラフト感や騒音といった不快感を与える問題を招来する虞れもない。
【００１１】
しかしながら、本体筐体３０に内蔵させた送風機３３とは別個の送風機３２が必要となるため、該送風機３２の分だけ製造コストが増大する。さらに、吸込口３１の上方部に重量物である送風機３２を設ける構成であるため、空気清浄機の重心位置が高くならざるを得ない。この結果、空気清浄機の安定化を図るべく本体筐体３０を大型化、かつ重量化して重心位置を下げる必要があり、製造コストが著しく増大する事態を招くことになる。
【００１２】
本発明は、上記実情に鑑みて、大型化や重量化に伴う製造コストの増大を抑え、かつ外乱の影響によって浄化空間の空気が外部空間へ流出する事態を防止することのできる空気清浄機を提供することを目的とする。
【課題を解決するための手段】
【００１３】
上記目的を達成するため、請求項１の発明に係る空気清浄機は、上方に向けて開口した吸込口を有し、該吸込口を通じて吸引した浄化空間の空気を浄化するようにした空気清浄機において、前記吸込口の側方域上方及び左右に向けて障壁を設けるとともに、浄化後の空気を該障壁の延在方向に沿って略水平方向に吹き出す側方吹出口を設けたことを特徴とする。
【００１４】
また、請求項２の発明に係る空気清浄機は、請求項１に記載の空気清浄機において、前記障壁の縁部にリブを有し、前記側方吹出口から吹き出された空気を本体筐体の吸込口に誘導することを特徴とする。
【００１５】
また、請求項３の発明に係る空気清浄機は、請求項１または２に記載の空気清浄機において、前記側方吹出口から吹き出す空気の流速を前記吸込口から吸引される空気の流速より小さくしたことを特徴とする。
【発明の効果】
【００１６】
この発明によれば、障壁に設けた側方吹出口から吹き出す浄化後の空気によって浄化空間と外部空間とを仕切ることができる。
【００１７】
この発明によれば、側方吹出口から吹き出された空気が本体筐体の吸込口に誘導されるので、側方吹出口から吹き出された浄化後の空気が再び吸込口から吸引されることになる。
【００１８】
この発明によれば、側方吹出口から吹き出す空気の流速を吸込口から吸引される空気の流速より小さくしたので、側方吹出口から吹き出された浄化後の空気が再び吸込口から吸引されることになる。
【発明を実施するための最良の形態】
【００１９】
以下に添付図面を参照して、本発明に係る空気清浄機の好適な実施の形態を詳細に説明する。
【００２０】
図１は、本発明の実施の形態である空気清浄機を示した概念図、図２は、図１に示した空気清浄機の外観斜視図、図３−１は、図１に示した空気清浄機の正面図、図３−２は、図１に示した空気清浄機の側面図、図４は、図１に示した空気清浄機の要部を拡大して示す側面図である。
【００２１】
ここで例示する空気清浄機は、タバコの煙や塵埃等の異物を含んだ浄化空間の空気を浄化する際に適用するもので、テーブル型に構成した本体筐体１００の内部に送風機１０１および浄化部１０２を備えている。送風機１０１は、本体筐体１００の内部において上方から下方に向けて送風を行うもので、当該本体筐体１００の下方部に配置してある。浄化部１０２は、通過する空気に含まれる異物を除去するためのフィルタであり、本体筐体１００の内部において上述した送風機１０１の上方に配置してある。
【００２２】
また、本体筐体１００には、その上面に天板１０３を設けてある。天板１０３は、本体筐体１００よりも大きな幅を有した平板状を成すもので、その中央部に吸込口１０４を有している。吸込口１０４は、上述した送風機１０１を駆動した場合に本体筐体１００の内部に空気を吸い込むための開口であり、天板１０３を貫通する態様で形成してある。
【００２３】
一方、上記空気清浄機には、本体筐体１００の一側面に隔壁１１０を設けてある。隔壁１１０は、図には明示していないが、中空のプレート状を成し、かつ天板１０３と同等の幅を有するもので、吸込口１０４の側方域から上方に向けて突出する態様で本体筐体１００の一側面に保持させてある。この隔壁１１０には、下端部に連通口１１１を設けてあるともに、上端部に吹出口１１２を設け、さらに両側面にそれぞれ側方吹出口１１３を設けてある。
【００２４】
連通口１１１は、隔壁１１０の内部と本体筐体１００の内部とを相互に連通するための開口である。この連通口１１１は、送風機１０１を駆動した場合に、本体筐体１００の内部において浄化部１０２を通過した後の空気を隔壁１１０の内部へ導入するように機能する。
【００２５】
吹出口１１２は、隔壁１１０において本体筐体１００が位置する側の正面に設けた開口であり、上述した連通口１１１を通じて隔壁１１０の内部に導入された空気を吸込口１０４の上方域に向けて略水平に吹き出すように機能する。図４に示すように、この吹出口１１２は、吸込口１０４の上面から所定の距離Ｈだけ離隔した高さ位置に配設してある。これら吹出口１１２と吸込口１０４の上面との間の距離Ｈは、上述した送風機１０１の性能に応じて決定するもので、例えば吸込口１０４から吸引される空気の流速が２〜３ｍ／ｓである場合、３００ｍｍ以上に設定することが好ましい。
【００２６】
また、上述した吹出口１１２は、吹き出す空気の流速が、吸込口１０４から吸引される空気の流速よりも小さくなるように構成してある。具体的には、例えば吹出口１１２の開口面積を吸込口１０４の開口面積よりも大きく構成することにより、該吹出口１１２から吹き出される空気の流速が、吸込口１０４から吸引される空気の流速よりも小さくなるように設定してある。
【００２７】
側方吹出口１１３は、隔壁１１０において天板１０３よりも上方に位置する部位から天板１０３よりも下方となる位置までの間に設けた開口である。これら側方吹出口１１３は、上述した連通口１１１を通じて隔壁１１０の内部に導入された空気を当該隔壁１１０の延在方向に沿って略水平方向に吹き出すように機能するものである。
【００２８】
また、上記空気清浄機には、隔壁１１０の背面にパネル１２０を着脱可能に設けてある。パネル１２０は、隔壁１１０の両側部からそれぞれ隔壁１１０の延在方向に沿う態様で側方に突設したもので、隔壁１１０とパネル１２０で障壁を形成し、その側端縁部にそれぞれリブ１２１を有している。リブ１２１は、隔壁１１０の側方吹出口１１３に対向する態様でパネル１２０に設けた突出部であり、各側方吹出口１１３から吹き出された空気を本体筐体１００の吸込口１０４に誘導するように機能する。これら側方吹出口１１３とリブ１２１との間の距離Ｗに関しても、上述した送風機１０１の性能に応じて決定するもので、例えば吸込口１０４から吸引される空気の流速が２〜３ｍ／ｓである場合、３００ｍｍ以上に設定することが好ましい。なお、天板１０３よりも下方に位置する部分には、上述したリブ１２１に換えて、側方吹出口１１３から吹き出された空気を吸込口１０４に向けて斜め上方に誘導するガイドを設けることが好ましい。
【００２９】
上記のように構成した空気清浄機では、浄化空間、例えば喫煙空間ＳＲに設置した状態で送風機１０１を駆動すれば、吸込口１０４を通じて喫煙空間ＳＲの空気が本体筐体１００の内部に吸引され、該吸引された空気が浄化部１０２を通過した後に連通口１１１を通じて隔壁１１０の内部に導入される。さらに、隔壁１１０の内部に導入された空気は、吹出口１１２および側方吹出口１１３を通じて外部に排出されることになる。
【００３０】
この間、空気清浄機の本体筐体１００に吸引された空気は、浄化部１０２を通過する際にタバコの煙ＴＳが捕集され、浄化した状態で外部に排出されることになる。従って、時間が経過するに従ってタバコの煙ＴＳが順次除去されることとなり、喫煙空間ＳＲの空気を浄化することができるようになる。
【００３１】
ここで、上記空気清浄機においては、吹出口１１２と吸込口１０４の上面との間に所定の距離Ｈを確保してあるため、吹出口１１２から吹き出される空気よりも下方において吸込口１０４の上方に位置する領域（以下、単に反応空間と称する）に至ったタバコの煙ＴＳは、吹出口１１２から吹き出される空気の影響を受けることなく吸込口１０４からそのまま本体筐体１００の内部に吸引されることになる。
【００３２】
これに対して、反応空間に至らなかったタバコの煙ＴＳ、あるいは喫煙空間ＳＲで発生した気流等の外乱によって反応空間から逸脱したタバコの煙ＴＳは、上方に向けて拡散する傾向がある。
【００３３】
しかしながら、上記空気清浄機では、吹出口１１２から吹き出された空気の仕切り作用により、これらのタバコの煙ＴＳが反応空間よりも上方に拡散する事態を阻むことができる。また、吹出口１１２から吹き出す空気と吸込口１０４から吸引する空気との流速の差から、当該吹出口１１２から吹き出された空気が吸込口１０４から吸引されるようになる。さらに、隔壁１１０およびその両側から突出するパネル１２０が喫煙空間ＳＲと非喫煙空間ＮＳＲとの間の障壁として機能することになる。従って、上記空気清浄機によれば、喫煙空間ＳＲのタバコの煙ＴＳが非喫煙空間ＮＳＲに流出する事態を招来する虞れがない。
【００３４】
上述した作用効果は、隔壁１１０の側方吹出口１１３から吹き出される空気によっても同様に得られるものである。すなわち、側方吹出口１１３から吹き出される空気の仕切り作用により、本体筐体１００の側方域を通じて喫煙空間ＳＲのタバコの煙ＴＳが非喫煙空間ＮＳＲに拡散する事態を阻むことができる。また、側方吹出口１１３から吹き出された空気がリブ１２１の作用によって吸込口１０４へ誘導され、該吸込口１０４から吸引されるようになる。
【００３５】
これらの結果、上記空気清浄機によれば、タバコの煙ＴＳが喫煙空間ＳＲから非喫煙空間ＮＳＲへ流出する事態をより確実に防止することができるようになる。
【００３６】
しかも、上記空気清浄機によれば、隔壁１１０に浄化後の空気を吹き出すための吹出口１１２を設けるだけであるから、本体筐体１００に内蔵させた送風機１０１とは別個に送風機が必要になったり、重心位置が高くなることもなく、製造コストの増大を抑えることができる。さらに、非喫煙空間ＮＳＲに対して空気を吹き出すものではないため、空気清浄機を通じてタバコの煙ＴＳが非喫煙空間ＮＳＲに漏出するという問題や非喫煙空間ＮＳＲにいる人に対してドラフト感や騒音といった不快感を与える問題を招来する虞れもない。
【００３７】
また、上記空気清浄機によれば、吹出口１１２および側方吹出口１１３から吹き出された浄化後の空気が再び吸込口１０４から吸引されるため、喫煙空間ＳＲの空気が繰り返し浄化部１０２を通過することになる。従って、例えば浄化部１０２を１回通過した場合のタバコの煙ＴＳの除去率が９０％程度であったとしても、当該浄化部１０２を繰り返し通過することでタバコの煙ＴＳの除去率が漸次向上するようになり、最終的にはタバコの煙ＴＳをほぼ１００％除去することも可能となる。この場合、隔壁１１０およびその両側から突出したパネル１２０が障壁となるため、喫煙空間ＳＲに気流等の外乱が発生する事態を防止できるようになり、上述した喫煙空間ＳＲの空気を循環浄化する状態が乱される虞れもきわめて少なくなる。
【００３８】
またさらに、上記空気清浄機によれば、隔壁１１０に対してパネル１２０を着脱可能に配設しているため、設置場所に応じて当該パネル１２０を適宜着脱することにより、あるいはサイズや形状の異なるパネル１２０に交換することにより、様々なレイアウトに対応することが可能である。
【００３９】
なお、上述した実施の形態は、タバコの煙を含んだ喫煙空間の空気を浄化する空気清浄機について説明しているが、タバコの煙以外にも、塵埃等の異物を含んだ浄化空間の空気を浄化するものにももちろん適用することが可能である。
【００４０】
以上説明したように、請求項１の発明によれば、障壁の延在方向に沿って略水平方向に吹き出す側方吹出口からの空気によって浄化空間と外部空間とを仕切ることができるため、当該浄化空間の空気が外部空間へ流出する事態を防止することが可能となる。
【００４１】
また、請求項２の発明によれば、側方吹出口から吹き出された浄化後の空気が再び吸引口から吸引されることになるため、浄化空間の空気を繰り返し浄化することができるようになる。
【００４２】
また、請求項３の発明によれば、側方吹出口から吹き出された浄化後の空気が再び吸引口から吸引されることになる。
【図面の簡単な説明】
【００４３】
【図１】本発明の実施の形態である空気清浄機を示した概念図である。
【図２】図１に示した空気清浄機の斜視図である。
【図３−１】図１に示した空気清浄機の正面図である。
【図３−２】図１に示した空気清浄機の側面図である。
【図４】図１に示した空気清浄機の要部を拡大して示す側面図である。
【図５】従来の空気清浄機の一例を示す概念図である。
【図６】図５に示した空気清浄機の使用態様例を示す概念図である。
【図７】従来の空気清浄機の他の例を示す概念図である。
【図８】従来の空気清浄機の他の例を示す概念図である。
【符号の説明】
【００４４】
１００    本体筐体
１０１    送風機
１０２    浄化部
１０３    天板
１０４    吸込口
１１０    隔壁
１１１    連通口
１１２    吹出口
１１３    側方吹出口
１２０    パネル
１２１    リブ
ＮＳＲ    非喫煙空間
ＳＲ      喫煙空間
ＴＳ      タバコの煙
【図１】
2005199276.tif 000003
【図２】
2005199276.tif 000004
【図３−１】
2005199276.tif 000005
【図３−２】
2005199276.tif 000006
【図４】
2005199276.tif 000007
【図５】
2005199276.tif 000008
【図６】
2005199276.tif 000009
【図７】
2005199276.tif 000010
【図８】
2005199276.tif 000011